(57)【要約】【課題】レッグ開口部に脚回りギャザーが周設されていないパンツ型吸収性物品であって、装着に際しては脚部が通し易く、装着後には押し傷やかぶれを生じることなく脚部を自由に動かすことができるような、装着性に優れ、かつ見栄えの良いパンツ型吸収性物品を提供すること。【解決手段】少なくとも、表面側を覆うトップシートと、裏面側を覆うバックシートと、前記シート間に介在された吸収体とにより物品本体が形成され、該物品本体の前身頃と後身頃との両側部が接合されてウエスト開口部及び一対のレッグ開口部が形成されて成るパンツ型吸収性物品において、前記物品本体の股間部を境に２つ折りにした製品状態で、前記物品本体における前記ウエスト開口部の幅をＱ、前記股間部の幅をＰ、前記接合側部の長さをＡ、前記レッグ開口部の長さをＢとしたとき、前記物品本体をＱ／Ｐ≧２．５、かつ、Ａ／Ｂ≦１．０の範囲に形成する。【選択図】        図１
2004298492.tif 000002
【特許請求の範囲】
【請求項１】
少なくとも、表面側を覆うトップシートと、裏面側を覆うバックシートと、前記シート間に介在された吸収体とにより物品本体が形成され、該物品本体の前身頃と後身頃との両側部が接合されてウエスト開口部及び一対のレッグ開口部が形成されて成るパンツ型吸収性物品において、前記物品本体の股間部を境に２つ折りにした製品状態で、前記物品本体における前記ウエスト開口部の幅をＱ、前記股間部の幅をＰ、前記接合側部の長さをＡ、前記レッグ開口部の長さをＢとしたとき、前記物品本体をＱ／Ｐ≧２．５、かつ、Ａ／Ｂ≦１．０の範囲に形成したことを特徴とするパンツ型吸収性物品。
【請求項２】
前記物品本体の前記レッグ開口部には脚回りギャザーが周設されていないことを特徴とする請求項１に記載のパンツ型吸収性物品。
【請求項３】
前記物品本体には腹部回り弾性伸縮部材が設けられていないことを特徴とする請求項１又は請求項２に記載のパンツ型吸収性物品。
【発明の詳細な説明】
【０００１】
【発明の属する技術分野】
本発明は、例えばパンツ型の使い捨て紙おむつやショーツ型の生理用ナプキン等の、パンツ型吸収性物品に関し、さらに詳細には、装着性及び美感に優れたパンツ型吸収性物品に関する。
【０００２】
【従来の技術】
パンツ型吸収性物品、例えば上述したようなパンツ型の使い捨て紙おむつは、テープ型の紙おむつとは異なり、ウエスト開口部及びレッグ開口部が予め形成されているため、装着に際しては脚部が通し易く、装着後には脚部が動き易いものを選定する必要がある。このため、この種の紙おむつでは、着用者が誰であるかにより、また、サイズが大きいか小さいか等により、夫々の目的に合った種々の形状の紙おむつが準備され、市場に提供されている。
【０００３】
従来、このようなパンツ型吸収性物品として、図５に正面図で、図６に斜視図で示すようなショーツ型の生理用ナプキンが知られている。すなわち、この生理用ナプキン１とは、表面側を覆うトップシート２と、裏面側を覆うバックシート３と、前記シート間に介在された吸収体４とによりナプキン本体１Ａが形成され、ナプキン本体１Ａの前身頃Ｆと後身頃Ｂとが両側部５で接合されて周縁部に弾性伸縮部材６を有するウエスト開口部７、及び、一対のレッグ開口部８が形成され、一対のレッグ開口部８の周縁部に弾性伸縮部材９が配されて脚回りギャザー１０（必要に応じトップシート２には図示しない立体ギャザー）が形成されたものであって、ナプキン本体１Ａの股間部１１を境に２つ折りにした製品状態で、ナプキン本体１Ａにおけるウエスト開口部７の幅をｑ、股間部１１の幅をｐ、接合された側部５の長さをａ、レッグ開口部８の長さをｂとしたとき、ナプキン本体１Ａがｐ／ｑ≧２．０、かつ、ｂ／ａ≧１．５の範囲に形成されているものである（例えば、特許文献１参照。）。
【０００４】
【特許文献１】
特開２０００−１７５９６６号公報（第１欄、図１）
【０００５】
【発明が解決しようとする課題】
しかしながら、このような従来のパンツ型吸収性物品、すなわちショーツ型の生理用ナプキン１は、一対のレッグ開口部７の周縁部に弾性伸縮部材８を介して脚回りギャザー１０が形成され、レッグ開口部８が縮小され窄められているため、装着に際し着用者は脚部をレッグ開口部７に通しにくく、また装着後には脚部が強く締め付けられるために脚部に押し傷やかぶれ等を生じる欠点があって、装着性の点で問題があった。また、脚部が締め付けられるために見栄えが悪く、美感の点でも問題があった。このため、従来、レッグ開口部８にギャザー１０が周設されていないパンツ型吸収性物品であって、装着に際しては脚部が通し易く、装着後には押し傷やかぶれ等を生じることなく脚部を自由に動かすことができるような、装着性に優れ、かつ見栄えの良いパンツ型吸収性物品の出現が望まれていた。
【０００６】
本発明は、上述したようなニーズに応えるパンツ型吸収性物品を提供することを目的としてなされたものである。
【０００７】
【課題を解決するための手段】
本発明の上記目的は、少なくとも、表面側を覆うトップシートと、裏面側を覆うバックシートと、前記シート間に介在された吸収体とにより物品本体が形成され、該物品本体の前身頃と後身頃との両側部が接合されてウエスト開口部及び一対のレッグ開口部が形成されて成るパンツ型吸収性物品において、前記物品本体の股間部を境に２つ折りにした製品状態で、前記物品本体における前記ウエスト開口部の幅をＱ、前記股間部の幅をＰ、前記接合側部の長さをＡ、前記レッグ開口部の長さをＢとしたとき、前記物品本体をＱ／Ｐ≧２．５、かつ、Ａ／Ｂ≦１．０の範囲に形成したことを特徴とするパンツ型吸収性物品を提供することにより達成される。
【０００８】
また、本発明の上記目的は、前記物品本体の前記レッグ開口部には脚回りギャザーが周設されていないことを特徴とするパンツ型吸収性物品を提供することにより、より効果的に達成される。
【０００９】
さらにまた、本発明の上記目的は、前記物品本体には腹部回り弾性伸縮部材が設けられていないことを特徴とするパンツ型吸収性物品を提供することにより、より効果的に達成される。
【００１０】
【発明の実施の形態】
以下、本発明の内容を、パンツ型吸収性物品が使い捨て紙おむつの場合を例にあげて詳述する。なお、本実施例に係わるパンツ型の使い捨て紙おむつは、その基本的な構成の一部を除き、前記従来のショーツ型の生理用ナプキンと実質的に同一となっているので、以下では対応する構成部品には対応する１００番台の符号を付して説明する。
【００１１】
図１は本発明に係わる使い捨て紙おむつ１００の正面図、詳細には、股間部を中心に二つに折り、前身頃側を切除して後身頃側の内面を示した正面図であり、図２は本紙おむつ１００全体の斜視図である。この紙おむつ１００では、表面側を覆うトップシート１０２と、裏面側を覆うバックシート１０３と、前記シート間に介在された吸収体１０４とにより紙おむつ本体１０１Ａが形成され、紙おむつ本体１０１Ａの前身頃１００Ｆと後身頃１００Ｂとが両側部１０５で接合されて周縁部に弾性伸縮部材１０６を有するウエスト開口部１０７、及び、一対のレッグ開口部１０８が形成されている。
【００１２】
本紙おむつ１００では、内側のトップシート１０２の外面には、図１に示すように、一対のレッグ開口部１０８の周縁部から吸収体１０４の両側部に沿って体液漏れ防止用の公知の立体ギャザー１２０が設けられている。このように立体ギャザー１２０を設けることにより、一対のレッグ開口部１０８にはフリルが形成される。
【００１３】
ここに、トップシート１０２には、体液を吸収体１０４へ透過させる透液性のシートであって、肌着に近い感触を有し、きめが細かく繊維密度が高い例えば不織布等の素材が、あるいは透液性や逆戻り防止性に優れている例えばポリエチレン、ポリプロピレン、又は酢酸ビニル重合体等からなる樹脂フィルム等の素材が好ましく適用される。
【００１４】
一方、バックシート１０３には、吸収体１０４に吸収された体液を外に透過させない不透液性のシートであって、透湿性を有する例えばポリエチレンやポリプロピレン等のオレフィン系樹脂に無機充填剤を溶融したものを延伸処理した微多孔性シート等が好ましく用いられる。
【００１５】
また、吸収体１０４には、解繊ポリマーを主体とした高分子ポリマーを併用したもの、熱可塑性樹脂、あるいはセルロース繊維等が好ましく用いられる。なお、この吸収体１０４は図示しないクレープ紙により全体が被覆されている。
【００１６】
さらにまた、立体ギャザー１２０は、防水性及びクッション性を有する不織布、あるいは防水フィルム等により作られ、内部に設けられたゴム紐等からなる複数本の糸状の弾性伸縮部材１２１を介し、肌当接面１２２がトップシート１０２から起立するようにしてしてトップシート１０２の上面にホットメルト接着剤等により接着されている。
【００１７】
以上のとおり構成された紙おむつ本体１０１Ａの形状は、本発明者による下記の実技テストの結果に基き、図１に示すように、股間部１１１を境に２つ折りにした製品状態で、紙おむつ本体１０１Ａにおけるウエスト開口部１０７の幅（弾性伸縮部材１０６による収縮のない状態における両側部１０５のヒートシール接合部間の距離）をＱ、前記股間部１１１の幅（クレープ紙を含まない吸収体１０４自体の幅）をＰ、前記接合両側部１０７の長さをＡ、前記レッグ開口部１０８の長さをＢとしたとき、前記紙おむつ本体１０１ＡをＱ／Ｐ≧２．５、かつ、Ａ／Ｂ≦１．０となるように形成されている。このような数値関係をもって形成された本紙おむつ１００によれば、装着性および美観の点から最も好ましいことが本発明者により確認されている。なお、Ｑ／Ｐ＜２．５で、かつＡ／Ｂ＞１．０である場合には、着用者の脚部がレッグ開口部１０８にすっきりと通すことができず、また股間部１１１が嵩張って不恰好となる等により、紙おむつ１００全体に下着風の美感を与えることができない。
【００１８】
【実施例】
ここで、本発明に係る紙おむつ１００の開口部幅Ｑと股間部幅Ｐ、接合側部長さＡとレッグ開口部長さＢの好ましい比率につき、次のようなテストを行った。本テストは、各寸法値を段階的に複数の値について設定して複数形状の紙おむつを試作し、これらの複数の紙おむつを着用者に着用させて、着用者の脚部の動き易さや脚周り部における押し跡の有無等のフィット性、及び装着した後の見栄えを客観的に評価するというものである。
【００１９】
【表１】
2004298492.tif 000003
表１において、官能評価とは、本紙おむつ１００のレッグ開口部１０３に着用者の脚部をすっきりと容易に通すことができるか否かの判断基準であり、目視評価とは、装着した後の見栄えの判断基準である。この官能評価及び目視評価は、◎印の「非常によい」、○印の「特によい」、△印の「よい」、×印の「悪い」の４段階で表している。
【００２０】
この結果、表１に示すように、本実施例に係る紙おむつ１００はＱ／Ｐ≧２．５で、かつＡ／Ｂ≦１．０である場合に、着用者の脚部がレッグ開口部１０８にすっきり通すことができ、フィット性が良く、また股間部１１１が嵩張らず、装着後の見栄えが良いので紙おむつ１００全体に下着風の美感を与えることができることが判明した。
【００２１】
以上、本発明の内容を好ましい一実施例に基き説明したが、本発明は必ずしもこのような実施例に限定されるものではなく、例えば次のような変更が可能である。
【００２２】
図３は、本発明に係わるパンツ型吸収性物品の他の実施形態、具体的には、前記使い捨て紙おむつ１００の構成を一部変更して成る使い捨て紙おむつ１００Ａの斜視図である。このように、本紙おむつ１００Ａは構成の一部を除く他の構成要素は前記紙おむつ１００と実質的に同一であるので、図示するように、同一部分には同一の符号が付されている。
【００２３】
本紙おむつ１００Ａは、レッグ開口部１０８の脚回り部の上半分のみに脚回りギャザー１１０Ａが設けられているものである。このように脚回りギャザー１１０Ａが不連続に設けられて成る紙おむつ１００Ａであっても、前記紙おむつ１００と殆ど同一の効果を得ることができる。
【００２４】
なお、本発明に係わるパンツ型吸収性物品の上記効果は、物品本体の前身頃の腹部回りに弾性伸縮部材が設けられていないタイプのものである場合に最も有効に発揮される。すなわち、このような弾性伸縮部材を有する従来のパンツ型吸収性物品、例えば図４に図６と対応して斜視図で示すような、前身頃Ｆの腹部位置に横方向に沿って複数本の腹部弾性伸縮部材１２と、両端部位置から中央部が股間部１１側に膨出する形状の複数本の前身頃持ち上げ用弾性伸縮部材１３を有する使い捨ての紙おむつ１Ａでは、これらの弾性伸縮部材１２、１３の作用に起因し、レッグ開口部８の開口部が収縮され易く、また前身頃Ｆの腹部部分に皺がよって見栄えが悪くなるからである。よって、本発明に係わるパンツ型吸収性物品では、物品本体の腹部回りに弾性伸縮部材が設けられていないタイプのものであることが望ましい。
【００２５】
以上、本発明に係わるパンツ型吸収性物品について使い捨ての紙おむつを例に説明したが、本発明はこの外、例えばショーツ型の生理用ナプキンを始め、これと類似する全てのパンツ型吸収性物品に適用することができる。
【００２６】
【発明の効果】
以上に詳述したように、本発明によれば、脚開口部が広く確保され、この部分で脚部が締め付けられることないので、装着に際して着用者はスムーズに脚部を脚開口部に通すことができ、装着後には身体にフィットして自由に脚部を動かすことができ、また外観を通常のパンツ型の下着と何ら変わらない見栄えのよいものとすることができるという、装着性及び美感の点で優れたパンツ型吸収性物品を提供することができる。
【図面の簡単な説明】
【図１】本発明に係わるパンツ型使い捨て紙おむつを股間部を中心に二つに折り、前身頃側を切除して後身頃側の内面を示した正面図である。
【図２】上記紙おむつ全体の斜視図である。
【図３】本発明に係わるパンツ型使い捨て紙おむつの他の実施例の斜視図である。
【図４】従来のパンツ型使い捨て紙おむつの斜視図である。
【図５】従来のパンツ型使い捨て紙おむつを股間部を中心に二つに折り、正面から見た正面図である。
【図６】上記使い捨て紙おむつの斜視図である。
【符号の説明】
１、１Ａ、            従来のショーツ型生理用ナプキン（パンツ型吸収性物品）
１００、１００Ａ      本発明に係わるパンツ型使い捨て紙おむつ
２、１０２            トップシート
３、１０３            バックシート
４、１０４            吸収体
５、１０５            （接合）側部
６、１０６            弾性伸縮部材
７、１０７            ウエスト開口部
８、１０８            レッグ開口部
９、                  弾性伸縮部材
１０、１１０Ａ        （脚回り）ギャザー
１２０                立体ギャザー
【図１】
2004298492.tif 000004
【図２】
2004298492.tif 000005
【図３】
2004298492.tif 000006
【図４】
2004298492.tif 000007
【図５】
2004298492.tif 000008
【図６】
2004298492.tif 000009